(57)【要約】【課題】            釣竿用の取付部品を竿体へより強固に固定する。【解決手段】        本発明の一実施形態に係る釣竿は、竿体と、シート部材と、取付部を有する取付部品と、当該取付部及び前記竿体に巻回される糸状の部品固定部材と、当該部品固定部材及び当該シート部材を覆うように設けられる樹脂層とを備える。一実施形態におけるシート部材は、第１の領域と第２の領域とを有し、当該第１の領域を介して前記竿体の外周面に固定される。また、一実施形態における取付部品は、前記シート部材の前記第１の領域の表面に当該取付部が載置されるように配置される。一実施形態におけるシート部材は、当該第２の領域が前記部品固定部材の表面を覆うように、前記第１の領域と前記第２の領域との境界で屈曲している。【選択図】          図２
2015188319.tif 000002
【特許請求の範囲】
【請求項１】
竿体と、
第１の領域と第２の領域とを有し、当該第１の領域を介して前記竿体の外周面に固定されるシート部材と、
前記シート部材の前記第１の領域の表面に取付部が載置される取付部品と、
前記取付部及び前記竿体に巻回される糸状の部品固定部材と、を備え、
前記シート部材は、当該第２の領域が前記部品固定部材の表面を覆うように、前記第１の領域と前記第２の領域との境界で屈曲しており、
前記部品固定部材及び前記シート部材を覆うように設けられる樹脂層をさらに備えることを特徴とする釣竿。
【請求項２】
前記シート部材の少なくとも前記第１の領域に接着剤又は樹脂が浸透していることを特徴とする請求項１に記載の釣竿。
【請求項３】
前記シート部材は、前記第２の領域が平面視で前記取付部と前記部品固定部材とが重複する領域の全体を覆うように配置されることを特徴とする請求項１又は請求項２に記載の釣竿。
【請求項４】
前記取付部品が釣糸ガイドであることを特徴とする請求項１ないし請求項３のいずれか１項に記載の釣竿。
【請求項５】
前記取付部品がリールシートであることを特徴とする請求項１ないし請求項３のいずれか１項に記載の釣竿。
【請求項６】
前記シート部材が等方性フィルム又はランダム配向繊維であることを特徴とする請求項１ないし請求項５のいずれか１項に記載の釣竿。
【請求項７】
前記シート部材及び前記竿体に巻回される糸状のカバー固定部材をさらに備えることを特徴とする請求項１ないし請求項６のいずれか１項に記載の釣竿。
【請求項８】
前記シート部材が不透明であることを特徴とする請求項１ないし請求項７のいずれか１項に記載の釣竿。
【請求項９】
竿体の外周面に、第１の領域と第２の領域とを有するシート部材の当該第１の領域を配置する工程と、
前記シート部材の前記第１の領域の表面に取付部品の取付部を配置する工程と、
前記取付部及び前記竿体に糸状の部品固定部材を巻回する工程と、
前記シート部材の前記第２の領域が前記部品固定部材の表面を覆うように、前記シート部材を前記第１の領域と前記第２の領域との境界で屈曲する工程と、
前記部品固定部材及び前記シート部材を覆うように樹脂層を設ける工程と、
を備える釣竿の製造方法。
【発明の詳細な説明】
【技術分野】
【０００１】
本発明は、竿体に取り付けられた取付部品を有する釣竿に関する。
【背景技術】
【０００２】
竿体に釣糸ガイドやリールシート等の取付部品が取り付けられた釣竿が知られている。例えば、特開２００８−２６３８４１号公報や特開２００４−１９４５６３号公報に記載されているように、従来の取付部品は、その脚部を竿体の外周面に配置した状態で当該脚部及び竿体に取付糸を巻き付けることにより竿体に取り付けられる。竿体に巻回された取付糸の表面には、取付部品を竿体に固定するために、取付糸を覆うように樹脂層が設けられることが多い。
【先行技術文献】
【特許文献】
【０００３】
【特許文献１】特開２００８−２６３８４１号公報
【特許文献２】特開２００４−１９４５６３号公報
【発明の概要】
【発明が解決しようとする課題】
【０００４】
しかしながら、この種の取付部品を有する釣竿では、当該取付部品に対して釣糸から大きな荷重が加えられたときに、その取付部に対して竿体から離間する方向の力が作用する。このため、特開２００８−２６３８４１号公報や特開２００４−１９４５６３号公報でも指摘されているように、取付部を覆う樹脂層にクラックが発生するという問題がある。
【０００５】
そこで、本発明は、取付部品をより強固に竿体へ固定することができる釣竿を提供することを目的とする。本発明のこれ以外の目的は、明細書全体を通じて明らかにされる。
【課題を解決するための手段】
【０００６】
本発明の一実施形態に係る釣竿は、竿体と、シート部材と、取付部を有する取付部品と、当該取付部及び前記竿体に巻回される糸状の部品固定部材と、当該部品固定部材及び当該シート部材を覆うように設けられる樹脂層とを備える。当該取付部品は、竿体に取り付けられる任意の部品であり、釣糸ガイド及びリールシートが含まれるがこれらには限られない。
【０００７】
一実施形態におけるシート部材は、第１の領域と第２の領域とを有し、当該第１の領域を介して前記竿体の外周面の所定の位置にに固定される。また、一実施形態における取付部品は、前記シート部材の前記第１の領域の表面に当該取付部が載置されるように配置される。一実施形態において、前記シート部材の少なくとも前記第１の領域に接着剤が浸透している。
【０００８】
一実施形態に係る部品固定部材は、竿体の軸方向の所定幅にわたって取付部品の取付部及び竿体に巻回される糸状の部材であり、取付糸とも呼ばれる。
【０００９】
一実施形態におけるシート部材は、当該第２の領域が前記部品固定部材の表面を覆うように、前記第１の領域と前記第２の領域との境界で屈曲している。一実施形態におけるシート部材は、前記第２の領域が平面視で前記取付部と前記部品固定部材とが重複する領域の全体を覆うように配置される。一実施形態におけるシート部材は、等方性フィルムである。一実施形態において、このシート部材は、竿体に巻回される糸状のカバー固定部材により当該竿体に固定される。一実施形態において、シート部材は不透明であってもよい。
【００１０】
本発明の一実施形態に係る釣竿の製造方法は、竿体の外周面に、第１の領域と第２の領域とを有するシート部材の当該第１の領域を配置する工程と、前記シート部材の前記第１の領域の表面に取付部品の取付部を配置する工程と、前記取付部及び前記竿体に糸状の部品固定部材を巻回する工程と、前記シート部材の前記第２の領域が前記部品固定部材の表面を覆うように、前記シート部材を前記第１の領域と前記第２の領域との境界で屈曲する工程と、前記部品固定部材及び前記シート部材を覆うように樹脂層を設ける工程と、を備える。
【発明の効果】
【００１１】
本発明の実施形態によって、取付部品をより強固に竿体へ固定することができる。
【図面の簡単な説明】
【００１２】
【図１】本発明の一実施形態に係る釣竿を模式的に示す図
【図２】本発明の一実施形態に係る釣竿の釣糸ガイド付近を拡大して示す断面図
【図３】本発明の一実施形態に係る釣竿の釣糸ガイド付近を拡大して示す平面図
【図４】本発明の他の実施形態に係る釣竿の釣糸ガイド付近を拡大して示す断面図
【発明を実施するための形態】
【００１３】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１４】
図１は、本発明の一実施形態に係る釣竿を模式的に示す図である。図示のように、本発明の一実施形態に係る釣竿１０は、細長い竿体１１と、リールシート１３を介して竿体１１に着脱自在に装着されるリール１２と、竿体１１の基端側に取り付けられたグリップ１４と、を備える。本明細書においては、竿体１１のグリップ１４側を「後」といい、竿体１１の穂先側を「前」と呼ぶことがある。また、図１の上側（リール１２が取り付けられている側）を「上」、その逆側を「下」、図１の手前側を「右」、奥側を「左」と呼ぶことがある。
【００１５】
竿体１１には、少なくとも１つの釣糸ガイドが取り付けられる。図１の例では、竿体１１には、釣糸ガイド１５−１ないし釣糸ガイド１５−９の９個の釣糸ガイドが取り付けられている。リール３から繰り出される不図示の釣糸は、釣糸ガイド１５−１ないし釣糸ガイド１５−９により竿体１１の穂先まで案内される。釣糸ガイド１５−１は釣り人の手元に最も近い位置にあるので「元ガイド」と呼ばれることがある。また、釣糸ガイド１５−９は、竿体１１の最も先端側にあるので、「トップガイド」と呼ばれることがある。本明細書においては、釣糸ガイド１５−１乃至釣糸ガイド１５−９を釣糸ガイド１５と総称することがある。
【００１６】
図１において、リール１２は、ベイトキャスティングリールである。図示のとおり、ベイトキャスティングリールは、一般に、竿体１１の外周面の上側に取り付けられる。リール１２が竿体１２の外周面の上側に取り付けられる場合には、釣糸を案内するための釣糸ガイド１５−１ないし１５−９も竿体１１の上側の外周面に取り付けられる。リール１２として、ベイトキャスティングリール以外の様々な種類のリール、例えば、様々な種類のスピニングリールを用いることができる。スピニングリールは、一般に、竿体１１の外周面の下側に取り付けられるので、この場合には釣糸ガイド１５−１ないし１５−９も竿体１１の下側の外周面に取り付けられる。
【００１７】
図２を参照して、本発明に適用可能な釣糸ガイドについてさらに詳しく説明する。図２は、釣糸ガイド１５が取り付けられた竿体１１の断面図を示す。図示のとおり、本発明の一実施形態に係る釣糸ガイド１５は、竿体１１に取り付けられる取付部Ｌ（脚部Ｌということもある。）と、脚部Ｌの前端に接続された板状のフレームＦと、フレームＦに形成された貫通孔に嵌め込まれたガイドリングＲと、を備える。釣糸ガイド１５は、竿体１１の手元側に伸びる単一の脚部で竿体１１に取り付けられるいわゆるシングルフットタイプの釣糸ガイドであってもよく、前後に伸びる一組の脚部を有するダブルフットタイプの釣糸ガイドでもよい。図２ないし図５には、このシングルフットタイプの釣糸ガイドを例示している。本明細書では、シングルフットタイプの釣糸ガイドを例に説明を行うが、本発明は、シングルフットタイプ及びダブルフットタイプのいずれの釣糸ガイドにも適用できる点に留意されたい。
【００１８】
釣糸ガイド１５を竿体１１に取り付ける場合には、まず、竿体１１の外周面の所定位置にシート部材２２を載置する。シート部材２２は、第１の領域２２−１と第２の領域２２−２とを備え、竿体１１の外周面には、この第１の領域２２−１が載置される。このシート部材２２の第１の領域２２−１は、竿体１１の外周面に、例えば接着剤を用いて固定される。
【００１９】
シート部材２２は、テープ状、フィルム状、シート状あるいは織布状のいずれの形態であってもよい。一実施形態におけるシート部材２２は、竿体１１の軸方向に沿って引き揃えられた複数の糸を含んでいても良い。一実施形態におけるシート部材２２は、シート面内の各方向における引張強さが互いにほぼ等しい等方性フィルム（等方性シート）であってもよい。この等方性フィルムとしては、例えば、ポリウレタン、ポリエステル、ポリ塩化ビニルなどの高分子化合物をカレンダー成形して得られる様々なフィルム（シート）が含まれる。また、カバー部材２２には、様々な短繊維から成る補強材が含まれていても良い。また、カバー部材２２は、ランダムな方向に配向した複数の糸から成るランダム配向繊維であってもよい。さらに、カバー部材２２は、和紙であってもよい。
【００２０】
次に、このシート部材２２の第１の領域２２−１の表面（竿体１１に接している面と反対側の面）に、釣糸ガイド１５の脚部Ｌを載置する。そして、この脚部Ｌと竿体１１に、取付糸２１を密に（タイトに）巻回する。これにより、脚部Ｌは、取付糸２１によって、シート部材２２の第１の領域２２−１を介して竿体１１に対して締め付けられる。取付糸２１は、例えば、天然繊維（綿糸等）の糸、再生繊維の糸、及びナイロン等の化学繊維の糸を含むが、本発明に適用可能な糸は本明細書で例示するものには限られない。
【００２１】
一実施形態において、シート部材２２は、接着剤又は樹脂が浸透する材料で形成される。したがって、接着剤が塗布された第１の領域２２−１に脚部Ｌを載置することにより、第１の領域２２−１に塗布された接着剤により、脚部Ｌを竿体１１に強固に固定することができる。
【００２２】
取付糸２１は、竿体１１の軸方向の所定幅Ｗにわたって巻回される。一実施形態において、取付糸２１は、図２に示すように、脚部Ｌの先端から竿体１１の軸方向に幅Ｗだけ巻回される。取付糸２１は、少なくとも脚部Ｌの先端付近に巻き付けられていることが望ましい。これにより、竿体１１が撓んだときに、脚部Ｌの先端が竿体１１から浮き上がることを防止できる。また、他の実施形態においては、図４に示すように、脚部Ｌの先端よりも竿体１１の後方の位置から、竿体１１の軸方向に幅Ｗ’（Ｗ’＞Ｗ）だけ巻回されてもよい。図４に示す様に、取付糸２１を脚部Ｌの先端よりも後方の位置から巻回することにより、取付糸２１及びシート部材２２が脚部Ｌの先端を跨がるように配置されるので、脚部Ｌをより強固に竿体１１に固定することができる。
【００２３】
上述のように取付糸２１を巻回した後、シート部材２２を第１の領域２２−１と第２の領域２２−２との境界で竿体１１の前方に向けて屈曲し、この第２の領域２２−２が取付糸２１の表面（取付糸２１の竿体１１の径方向外方）を覆うようにする。図３に示すように、シート部材２２は、釣糸ガイド１５の脚部Ｌの上方に設けられてもよい。一実施形態において、シート部材２２（第１の領域２２−１と第２の領域２２−２の少なくとも一方）は、その左右方向の幅が、脚部Ｌの幅よりも広くなるように形成される。また、一実施形態における第２の領域２２−２は、その前後方向の長さが取付糸２１が巻回される幅Ｗよりも長くなるように形成される。これにより、一実施形態における第２の領域２２−２は、図３に示すように、平面視で（つまり、図３の方向から見たときに）、脚部Ｌと取付糸２１とが重複する領域の全体を覆うように配置される。
【００２４】
一実施形態におけるシート部材２２は、その下方（竿体１１の径方向内方）にある物体（取付糸２１や後述するように取付糸２１の間に浸透した樹脂）が釣竿１０の使用者から視認できない程度の透過率を有する。一実施形態におけるシート部材２２は不透明である。
【００２５】
一実施形態においては、上記のように配置されたシート部材２２を固定するために、シート部材２２の一部にシート部材用取付糸２３が巻回される。シート部材用取付糸２３は、取付糸２１と同じ材料から成るものであってもよいし、異なる材料から成るものであってもよい。
【００２６】
一実施形態においては、取付糸２１及びカバー部材２２を覆うように、樹脂層２４を設けることができる。樹脂層２４は、例えば、エポキシ、ウレタン、又はＵＶ硬化性樹脂（例えば、ウレタンアクリレート、アクリル樹脂アクリレート、エポキシアクリレート）等の様々なな樹脂から成る。樹脂層２４の材料は、本明細書で例示したものに限られず、様々な樹脂をその材料として用いることができる。樹脂層２４は透明であってもよく着色されていてもよい。樹脂層２４を構成する樹脂は取付糸２１の間に浸透するので、脚部Ｌを竿体１１に対してより強固に取り付けることができる。樹脂層２４は、図示のように、シート部材用取付糸２３を覆うように設けられてもよい。
【００２７】
上述した釣竿１０においては、シート部材２２が釣糸ガイド１５の脚部Ｌの下部（脚部Ｌに対して竿体１１の径方向内方）から脚部Ｌの先端側を包み込むように脚部Ｌの上部（脚部Ｌに対して竿体１１の径方向内方）まで延伸しているので、脚部Ｌを竿体１１に強固に固定することができる。例えば、釣糸ガイド１５に釣糸から大きな荷重が加えられて脚部Ｌの先端に竿体１１から離れる方向の力が作用しても、脚部Ｌの先端はシート部材２２の第２の領域２２−２によって上方から押さえつけられており、しかもこの第２の領域２２−２は竿体１１に密着している第１の領域２２−１と一体に形成されているので、脚部Ｌは下方に（つまり竿体１１の方向に）押し付けられ、脚部Ｌの先端が竿体１１から浮き上がることを防止できる。
【００２８】
竿体１１に取付糸によって取り付けられる取付部品は、上述した釣糸ガイドに限られない。例えば、リールシート１３も取付糸によって竿体１１に取り付けられる取付部品の例の１つである。リールシート１３は、リールの前脚を収容する固定フードと、当該リールの後脚を収容し、竿体１１の軸方向に移動可能な可動フードとを備える。リールシート１３は、特開２００８−２６３８４１号公報に記載されているリールシート（板状リールシート５）と同様の構成とすることができる。リールシート１３も、釣糸ガイドと同様に、取付糸２１、シート部材２２、シート部材用取付糸２３、及び樹脂層２４によって竿体１１に取り付けられる。
【００２９】
このように、本発明の一実施形態に係る釣竿１０によれば、取付糸により取付部品（例えば、釣糸ガイドやリールシート）を竿体へ安定して固定できるとともに、当該取付糸に浸透する樹脂層に生じるクラックを使用者が視認づらくすることができる。
【００３０】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３１】
１０  釣竿
１１  竿体
１３  リールシート
１５−１〜１５−９  釣糸ガイド
２１  取付糸
２２  シート部材
２３  シート部材用取付糸
２４  樹脂層
【図１】
2015188319.tif 000003
【図２】
2015188319.tif 000004
【図３】
2015188319.tif 000005
【図４】
2015188319.tif 000006